【手続補正書】
【提出日】令和1年8月15日(2019.8.15)
【手続補正１】
【補正対象書類名】明細書
【補正対象項目名】００１０
【補正方法】変更
【補正の内容】
【００１０】
本発明の他の一態様の係るノード装置は、複数の基地局とコアネットワーク内の移動管理装置との間に配置される、エッジコンピューティングのためのノード装置であって、前記複数の基地局のそれぞれのセル内の無線通信状況を示す情報を、前記複数の基地局のそれぞれから取得する取得手段と、前記移動管理装置によって所定のページングポリシーに従って１つ以上の基地局に向けて送信された、前記複数の基地局のセル内に存在する無線端末のページングのためのページングメッセージを受信すると、前記取得手段によって取得された情報に基づいてページング範囲を決定する決定手段と、前記決定手段によって決定されたページング範囲に含まれる各基地局へ、前記無線端末のページングのためのページングメッセージを送信する送信手段と、を備えることを特徴とする。
【手続補正２】
【補正対象書類名】明細書
【補正対象項目名】００２４
【補正方法】変更
【補正の内容】
【００２４】
ＭＭＥが用いる上述のページングポリシーは、ページングの範囲（ページングエリア）及び頻度（時間間隔）等を定める。ページングポリシーには、例えば、（１）ＵＥが直近に在圏していたｅＮＢ（Last eNB）、（２）ＵＥが直近に位置登録しているＴＡ（Last TA）、（３）ＴＡＩリスト（TAI-List）、の順に、ページングを行うことが定められうる。あるいは、（１）Last TA、（２）TAI-List、（３）TAI-List、の順に、ページングを行う（即ち、Last TAに対するページングの後に、TAI-Listに対するページングを２回繰り返す）ことが定められうる。
【手続補正３】
【補正対象書類名】明細書
【補正対象項目名】００２５
【補正方法】変更
【補正の内容】
【００２５】
本実施形態では、ＭＭＥ１１は、ＵＥ単位でのページングポリシーの制御を行わず、ＵＥによらず予め設定されたページングポリシーに従って、各ＵＥのページング処理（即ち、ページングメッセージを、Ｓ１−ＭＭＥインタフェースを介して１つ以上のｅＮＢへ送信する処理）を行う。その一方で、ｅＮＢとＭＭＥ１１との間に設けられたＭＥＣノード１０によって、ＵＥ単位でのページングポリシーの制御（調整）を実現する。
【手続補正４】
【補正対象書類名】明細書
【補正対象項目名】００５０
【補正方法】変更
【補正の内容】
【００５０】
次にＳ４で、端末情報解析部３４は、識別された対象ＵＥの情報が、情報管理部３５によってユーザ情報として既に保持（管理）されているか否かを判定し、保持されていない場合にはＳ５へ処理を進め、保持されている場合にはＳ６へ処理を進める。Ｓ５では、端末情報解析部３４は、図６に示す手順により、対象ＵＥについて端末登録処理を実行する。一方、Ｓ６では、端末情報解析部３４は、図７に示す手順により、対象ＵＥについて情報更新処理を実行する。Ｓ５又はＳ６の処理が完了すると、端末情報解析部３４は、処理をＳ７へ進める。
【手続補正５】
【補正対象書類名】明細書
【補正対象項目名】００５３
【補正方法】変更
【補正の内容】
【００５３】
まず端末情報解析部３４は、Ｓ１１〜Ｓ１４において、シグナリング解析部３３による識別結果に基づいて、受信パケットに含まれるメッセージの種別を判別し、判別した種別に応じた処理を実行する。具体的には、端末情報解析部３４は、メッセージ種別が、ＩＭＳＩ（International Mobile Subscriber Identity）アタッチ、ＧＵＴＩ（Globally Unique Temporary Identifier）アタッチ、Ｘ２ハンドオーバ、Ｓ１ハンドオーバ、及び位置登録、のいずれかであるかを判定する。端末情報解析部３４は、メッセージ種別がこれらの種別のいずれでもない場合には、受信パケットに基づく処理を行わずに、端末登録処理を終了する。
【手続補正６】
【補正対象書類名】明細書
【補正対象項目名】００５７
【補正方法】変更
【補正の内容】
【００５７】
（Ｘ２ハンドオーバ）
端末情報解析部３４は、メッセージ種別がＸ２ハンドオーバである場合（Ｓ１３で「ＹＥＳ」）、Ｓ１６へ処理を進める。Ｘ２ハンドオーバは、同じＭＭＥ１１に属するｅＮＢ間で行われるハンドオーバである。Ｘ２ハンドオーバでは、ハンドオーバ元のｅＮＢとハンドオーバ先のｅＮＢとの間でＸ２インタフェースを介して制御メッセージが送受信されるとともに、ハンドオーバ先のｅＮＢからＭＭＥ１１へPath Switch Request（パス切替要求）メッセージが送信される。Ｘ２ハンドオーバは、このPath Switch Requestメッセージに基づいて特定されうる。
【手続補正７】
【補正対象書類名】明細書
【補正対象項目名】００５８
【補正方法】変更
【補正の内容】
【００５８】
Ｓ１６では、端末情報解析部３４は、上述のように、隣接ＭＥＣノードからの対象ＵＥの暗号化情報の取得を試みる。具体的には、端末情報解析部３４は、Path Switch Requestメッセージ内の「Source MME GUMMEI」要素に情報が含まれている場合には、当該情報に基づいて、対象ＵＥが最後に収容されていたＭＭＥを特定する。更に、端末情報解析部３４は、情報管理部３５によって管理されている隣接ＭＥＣノード情報に基づいて、特定したＭＭＥと対応付けられた収容ＭＥＣノードを、対象ＵＥが直前に収容されていた１つ以上のＭＥＣノードとして推測する。端末情報解析部３４は、推測した各ＭＥＣノードに対して問い合わせを行う。一方、Path Switch Requestメッセージ内の「Source MME GUMMEI」要素に情報が含まれていない場合には、端末情報解析部３４は、情報管理部３５によって管理されている隣接ＭＥＣノード情報に基づいて、全ての隣接ＭＥＣノードに対して問い合わせを行う。その後、端末情報解析部３４は、Ｓ１７へ処理を進める。
【手続補正８】
【補正対象書類名】明細書
【補正対象項目名】００５９
【補正方法】変更
【補正の内容】
【００５９】
（位置登録又はＳ１ハンドオーバ）
端末情報解析部３４は、メッセージ種別が位置登録又はＳ１ハンドオーバである場合（Ｓ１４で「ＹＥＳ」）、Ｓ１５へ処理を進める。位置登録は、ＵＥからＭＭＥ１１へTAU Requestメッセージに基づいて特定され、Ｓ１ハンドオーバは、ＭＭＥ１１からハンドオーバ先のｅＮＢへ送信されるHandover Request（ハンドオーバ要求）メッセージに基づいて特定されうる。Ｓ１５で、端末情報解析部３４は、位置登録又はＳ１ハンドオーバが、対象ＵＥのＭＭＥ間の移動を伴っているか否かを判定し、伴っている場合にはＳ１７へ処理を進め、伴っていない場合にはＳ１６へ処理を進める。
【手続補正９】
【補正対象書類名】明細書
【補正対象項目名】００７６
【補正方法】変更
【補正の内容】
【００７６】
図９（Ｃ）の例では、ＵＥが静止ＩｏＴ端末等であり、ｅＮＢ＃２のセル内でほぼ静止し続けているシナリオを想定している。この例では、ＭＭＥ１１が、予め設定されたページングポリシーに従って、ページング対象のＵＥ（対象ＵＥ）についてのLast TA（本例ではＴＡ＃１）に向けてページングメッセージを送信している。これに対して、ＭＥＣノード１０は、対象ＵＥの移動履歴及び通信履歴に基づいて、ページング範囲を、より狭いLast eNB（本例ではｅＮＢ＃２）に決定し、ｅＮＢ＃２へページングメッセージを送信している。即ち、ＭＥＣノード１０は、ＭＭＥ１１によるページング範囲を、より狭い範囲に調整し、ページングメッセージの送信を行っている。